(57)【要約】【課題】  従来における超音波美容用機器は、２つのヘッドを背中合わせに配置しハンマー状の形状とした場合、ヘッドの厚み寸法が大きくなって被施術者の顎付近等に首側からアプローチしようとしたときに、反対側のヘッドや本体部が首や胸に当たってしまい、施術に支障をきたすという問題があった。【解決手段】  施術者の手の中に納まる大きさで、かつ、アーチ形状とした筐体１内に、異なる周波数の超音波出力を発生する超音波発生回路５を内蔵し、該超音波発生回路よりの異なる出力で振動する発振素子５８，５９を取付けたヘッド２，３を前記筐体の両端に取付けると共に前記筐体に操作スイッチ５４，５５を取付け、該操作スイッチを各別に操作することで前記発振素子を選択的に振動するようにしたことを特徴とする超音波美容用機器である。【選択図】        図２
2011217844.tif 000002
【特許請求の範囲】
【請求項１】
施術者の手の中に納まる大きさで、かつ、アーチ形状とした筐体内に、異なる周波数の超音波出力を発生する超音波発生回路を内蔵し、該超音波発生回路よりの前記異なる周波数で振動する発振素子を取付けたヘッドを前記筐体の両端に取付けると共に前記筐体に操作スイッチを取付け、該操作スイッチを各別に操作することで前記発振素子を選択的に振動するようにしたことを特徴とする超音波美容用機器。
【請求項２】
前記筐体の上面に前記超音波発生回路に電力を供給する電源コードをコード旋回機構を介して回転可能に取付けたことを特徴とする請求項１記載の超音波美容用機器。
【請求項３】
前記２つの操作スイッチを施術者が筐体を握った指で操作可能なように前記筐体の裏面側に取付けたことを特徴とする請求項１記載の超音波美容用機器。
【請求項４】
前記超音波発生回路より出力される異なる周波数の電力を変化させて前記発振素子毎の振動力を変化させたことを特徴とする請求項１記載の超音波美容用機器。
【発明の詳細な説明】
【技術分野】
【０００１】
本発明は、施術者が手で持って被施術者の顔に当てて超音波によって施術を行なうエステサロン、理美容サロンや化粧品店等で使用する超音波美容用機器に関する。
【背景技術】
【０００２】
従来における超音波美容用機器の先行技術文献としては、特開２００６−１２０７２６号公報の発明がある。この発明は、施術者が手で握る本体部の上端に背中合わせに第１ヘッド部と第２ヘッド部をＹ字状のハンマー形状に配置し、前記本体部に設けたスイッチによって前記２つのヘッド部を同時あるいは単独で駆動して美顔施術を行なうものであった。
【先行技術文献】
【特許文献】
【０００３】
【特許文献１】特開２００６−１２０７２６号公報
【発明の概要】
【発明が解決しようとする課題】
【０００４】
ところで、前記した先行技術文献にあっては、２つのヘッドを背中合わせに配置しハンマー状の形状とした場合、ヘッドの厚み寸法が大きくなって被施術者の顎付近等に首側からアプローチしようとしたときに、反対側のヘッドや本体部が首や胸に当たってしまい、施術に支障をきたすという問題があった。
【０００５】
また、ヘッドの厚みが厚いと使用するヘッドの真上、あるいはその近辺を掴み難いため、掴んだ部位とヘッド部位が遠くなって顔への当て方の微調整がし難いといった問題があった。
【０００６】
さらに、被施術者が座位姿勢で施術を受けるような場合、顔面が鉛直に近いため、施術を行なうに当たって顔に押し当てる力を加える必要がある。ハンマー形状の超音波美容用機器にあっては、このとき顔から反発される力が発生し、その発生力に対して支える部分がグリップ部であることから、施術者は反発力に抗して支えなければならず手首への負担が大きくなるといった問題もあった。
【０００７】
本発明は前記した問題点を解決せんとするもので、その目的とするところは、異なる周波数で振動し、かつ、または、前記異なる周波数の電力を変えて振動する発振素子が取付けられたヘッドを両端に有する筐体を、施術者の手の中に納まる大きさで、かつ、アーチ状に湾曲したので、被施術者の顎や首付近等へのアプローチ時にも首や胸に当たることがなく、かつ、顎のラインにも干渉しない施術が可能であると共に顔に押し当てる力を加えるときに顔から反発される力が発生しても、筐体がアーチ状に湾曲していることから施術者の手首への反発力が小さく作業時に苦痛を与えることがない超音波美容用機器を提供せんとするにある。
【課題を解決するための手段】
【０００８】
本発明の超音波美容用機器は前記した目的を達成せんとするもので、請求項１の手段は、施術者の手の中に納まる大きさで、かつ、アーチ形状とした筐体内に、異なる周波数の超音波出力を発生する超音波発生回路を内蔵し、該超音波発生回路よりの前記異なる周波数で振動する発振素子を取付けたヘッドを前記筐体の両端に取付けると共に前記筐体に操作スイッチを取付け、該操作スイッチを各別に操作することで前記発振素子を選択的に振動するようにしたことを特徴とする。
【０００９】
請求項２の手段は、前記した請求項１において、前記筐体の上面に前記超音波発生回路に電力を供給する電源コードをコード旋回機構を介して回転可能に取付けたことを特徴とする。
【００１０】
請求項３の手段は、前記した請求項１において、前記２つの操作スイッチを施術者が筐体を握った指で操作可能なように前記筐体の裏面側に取付けたことを特徴とする。
【００１１】
請求項４の手段は、前記した請求項１において、前記超音波発生回路より出力される異なる周波数毎に電力を変化させて前記発振素子の振動力を変化させたことを特徴とする。
【発明の効果】
【００１２】
本発明は前記したように、アーチ形状の筐体の両端に発振素子が取付けられたヘッドを取付け、前記発振素子に異なる超音波周波数の出力や周波数は同じで電力が異なる出力を各別に印加して振動させるようにしたので、被施術者の顎や首付近等へのアプローチ時にも首や胸に当たることがなく、かつ、顎のラインにも干渉しない施術が可能であると共に顔に押し当てる力を加えるときに顔から反発される力が発生しても、筐体がアーチ状に湾曲していることから施術者の手首への反発力が小さく作業時に苦痛を与えることがない。
【００１３】
また、前記異なる超音波周波数の出力や周波数は同じで電力が異なる出力を発生する超音波発生回路に電力を供給するための電源コードを筐体の上面側に回転可能に取付けたことで、施術を行なう際に施術作業で使用するヘッドとは逆側に電源コードを逃がせることで、施術において電源コードが邪魔になることがなく作業性の向上を図ることができる。
【００１４】
さらに、発振素子の出力を選択するため操作スイッチを筐体の裏面側に取付けたことで、施術者が操作スイッチの操作を行なうに際して筐体を握った側の指で操作が可能となってスイッチ操作のオン・オフ操作および切り替え操作を容易に行なうことができる等の効果を有するものである。
【００１５】
また、各周波数毎に電力を変更して発振素子の振動力を変更して被施術者の顔面に対して強弱を変えることで、より施術効果を得ることができる等の効果を有するものである。
【図面の簡単な説明】
【００１６】
【図１】本発明に係る超音波美容用機器を施術者が持っている状態の斜視図である。
【図２】内部構造を示す断面図である。
【図３】超音波美容用機器の斜視図である。
【図４】図３の平面図である。
【図５】図３の底面図である。
【発明を実施するための形態】
【００１７】
本発明に係る超音波美容用の機器の一実施例を図面と共に説明する。
１は半透明合成樹脂によって成形した本体１１とカバー１２とから構成した筐体にして、図１に示すように施術者が持って手にフィットする長さで、かつ、アーチ状に形成されている。そして、筐体１におけるカバー１２の両端には外側に向かって傾斜した開口部１２ａ，１２ｂにステンレスで形成したキャップ状のヘッド２，３が取付けられている。また、筐体１におけるカバー１２の両側面には施術者が握った時に滑り難いようにアーチ状に沿って凹凸１２ｃが形成されている。そして、本体１１とカバー１２とはネジ止めされている。
【００１８】
４は電源コードにして、前記筐体１における本体１１の中央部に回転（図４の状態で１８０度）可能となるようにコード旋回機構４１を介して取付けられている。このような構成とすることで、施術者による施術作業時に邪魔にならないように施術作業で使用するヘッドとは逆側に電源コード４を逃がせるようになっている。なお、コード旋回機構４１を１８０度の回転可能としたのは、コード旋回機能が何回転でも可能とすると電源コード４が捩れ過ぎて断線する恐れがあるからであり、ブラシを使用して摺接する方式を採用すれば回転数は問題がなくなる。
【００１９】
次に、図２の筐体１の内部に装備された超音波発生回路５について説明するに、超音波発生回路５は筐体１の本体１１にはプリント基板５１が取付けられ、このプリント基板５１には２つの超音波出力（例えば、１ＭＨｚと５ＭＨｚ）を発生する電子回路５２と、電源トランス５３と、前記２つの超音波出力を選択的に出力させる２つの操作スイッチ５４，５５および該操作スイッチ５４，５５によって選択した側の表示を行なう発光ダイオード５６，５７が実装されている。
【００２０】
また、前記ヘッド２の内面には前記５ＭＨｚの超音波出力で振動するセラミック製の発振素子５８が、また、前記ヘッド３の内面には前記１ＭＨｚの超音波出力で振動するセラミック製の発振素子５９が接着されている。なお、前記操作スイッチ５４，５５は筐体１におけるカバー１２側に取付けられているので、施術者が操作スイッチ５４，５５の操作を行なうに際して筐体１を握った側の指で操作が可能となる。
【００２１】
前記５ＭＨｚで振動するヘッド２が取付けられている筐体１の外径と、前記１ＭＨｚで振動するヘッド３が取付けられている筐体の外径とでは、ヘッド３側の外径が大きく形成されているので、施術者が施術する時に目で見たり手で握った状態で判断できるようになっている。
【００２２】
また、前記ヘッド２が取付けられている筐体１における本体１１の上面端部には６本線のマーク１１ａ（刻み）が形成され、かつ、前記ヘッド３が取付けられている上面端部には２本線のマーク１１ｂ（刻み）とが形成されており、このマークを見ることで何れが何メガヘルツで振動する側かを判断できるようになっている。
【００２３】
次に、前記した構成に基づいて動作を説明するに、先ず、施術者は前記筐体１の両端の外径の相違や、マーク１１ａ，１１ｂを見て１ＭＨｚの振動で行なうかあるいは５ＭＨｚの振動で行なうかを確認して、操作スイッチ５４，５５を選択してヘッド２，３の何れかを振動させる。
【００２４】
そして、被施術者の施術部位にジェルを塗って振動している側のヘッド２またはヘッド３を被施術者の顔に当て振動させることで施術を行なう。この施術を行なうに際して、施術作業で使用するヘッドとは逆側に電源コード４を逃がせることで、施術において電源コード４が邪魔になることがないので作業が容易に行なえる。
【００２５】
また、筐体１をアーチ状に湾曲し、かつ、ヘッド２，３を筐体内の両端に設けたので、被施術者の顎や首付近等へのアプローチ時にも首や胸に当たることがなく、さらに、顎のラインにも干渉しない施術が可能であると共に顔に押し当てる力を加えるときに顔から反発される力が発生しても、筐体がアーチ状に湾曲していることから施術者の手首への反発力が小さく作業時に苦痛を与えることがない。
【００２６】
なお、反対側のヘッド２またはヘッド３を使用しての施術は、筐体１を反転した状態で手で持ち、操作スイッチ５４，５５を切り替えることで、例えば、最初の施術が１ＭＨｚの振動で行なっていたのに対し、続いての施術を５ＭＨｚの振動で行なうことができる。
【００２７】
なお、前記した実施例では超音波の周波数を変更することのみで施術を行なう場合について説明したが、各周波数毎に電力を変更して発振素子５８，５９の振動力を変更して被施術者の顔面に対して強弱を変えることで、より施術効果を得ることができる。また、前記した実施例ではヘッド２，３の断面形状を円柱状のものとて示したが、断面形状としては円錐状、楕円筒状、矩形状等であってもよく、さらに、筐体１の断面形状としては円柱状のものに限定されるものではない。
【符号の説明】
【００２８】
１          筐体
１１        本体
１２        カバー
２，３      ヘッド
４          電源コード
４１        コード旋回機構
５          超音波発生回路
５４，５５  操作スイッチ
５８，５９  発振素子
【図１】
2011217844.tif 000003
【図２】
2011217844.tif 000004
【図３】
2011217844.tif 000005
【図４】
2011217844.tif 000006
【図５】
2011217844.tif 000007